(57)【要約】【課題】扉の開放時に躯体の内部に扉を取り込むことのできる扉のヒンジ装置の提供。【解決手段】躯体Ａに固定する取付基板２と、扉Ｂの背面に固定する取付板３と、前記取付基板２に植設する第１支軸８に回動自由に軸承し、揺動端４ｃを前記取付板３に回動自由に軸着して前記取付基板２に対して前記取付板３を扉の閉塞位置から開放位置に移動変換する第１アーム４と、該第１アーム４と協働して取付板３を支持すると共に扉Ｂの開放時に扉Ｂの揺動自由端ｂを迫り出し方向に誘導する第２アーム５とを有し、前記第１アーム４と前記取付基板２との間に常時扉Ｂを開放方向に回動付勢する巻きばね１２を介挿し、第１アーム４若しくは第２アーム５のいずれかに係止して扉Ｂを閉塞位置に拘束し解放操作が可能なロック装置１４を設ける。【選択図】図１
2009127346.tif 000002
【特許請求の範囲】
【請求項１】
躯体に固定する取付基板と、
扉の背面に固定する取付板と、
前記取付基板に植設する第１支軸に回動自由に軸承し、揺動端を前記取付板に回動自由に軸着して前記取付基板に対して前記取付板を扉の閉塞位置から開放位置に移動変換自由に支持する第１アームと、
前記取付基板に軸着する第２支軸に回動自由に軸承し、揺動端を前記第１アームの揺動端の軸承位置と異なる第２の軸着位置に軸着して前記取付板を前記第１アームと協働して支持すると共に扉が開放位置に移動変換するとき扉の揺動自由端を迫り出し誘導する第２アームと、
を有し、前記第１アームには前記取付基板との間に常時扉を開放方向に回動付勢するばねを介挿し、また前記取付基板には扉が閉塞位置にあるとき前記第１アーム若しくは第２アームのいずれかに係止して当該閉塞位置に拘束する解放操作が可能なロック装置を備えてなることを特徴とした扉のヒンジ装置。
【請求項２】
請求項１に記載の扉のヒンジ装置において、取付基板は一面側に第１支軸を、他面側に第２支軸を植設して第１アームと第２アームを取付基板の両面に振分け配置することを特徴とした扉のヒンジ装置。
【請求項３】
請求項１又は２に記載の扉のヒンジ装置において、第１アームには回動を制御するダンパー装置を係合させ、ロック装置の解放時にばねによる開放位置への移動速さを抑制するようにしてなることを特徴とした扉のヒンジ装置。
【請求項４】
請求項３に記載の扉のヒンジ装置において、第１アームには当該アームと共に第１支軸を支点に回動するギヤを備え、該ギヤにダンパー装置の回転軸に軸着するピニオンギヤを噛合させることを特徴とした扉のヒンジ装置。
【請求項５】
請求項１乃至４のいずれかに記載の扉のヒンジ装置において、ばねは巻きばねにして第１支軸に巻装すると共に、その一端を取付基板に、他端を第１アームに掛け止め、該両者間に縮設することを特徴とした扉のヒンジ装置。
【請求項６】
請求項５に記載の扉のヒンジ装置において、第１支軸には弾力調整板を軸承して取付基板と第１アームとの間に介挿し、巻きばねの一端を弾力調整板に、他端を第１アームに各掛け止める一方、前記弾力調整板には複数の係止部を設けて取付基板に止め付ける固定軸を該係止部のいずれかに係止し、前記巻きばねの弾力を調整可能にすることを特徴とした扉のヒンジ装置。
【発明の詳細な説明】
【技術分野】
【０００１】
本発明は、家具等に取り付けられる扉のヒンジ装置に関する。
【背景技術】
【０００２】
家具等に取り付けられる扉のヒンジ装置には、扉を閉塞位置と開放位置に移動させる際に扉の開放動作を助勢する機構が取り付けられているものがある。例えば、特許文献１に記載のものがその一例である。
【０００３】
特許文献１に記載の扉体開閉装置は、収納室の内壁に取り付けられる第１取付部材と、扉体に取り付けられる第２取付部材とを、閉塞位置と開放位置に扉体を誘導するリンク機構を介して連結すると共に、リンク機構と第１取付部材の間にリンク機構の揺動につれて扉体を閉塞位置と開放位置とに択一的に付勢保持する付勢機構を設けてある。
この扉体開閉装置は、扉の開放及び閉塞動作に要する操作力をバネ材の弾性復元力によって軽減するようにしてある。そして、扉は上方に起立した姿勢を維持した状態で、閉塞位置と、開口部の上方側の外側脇である開放位置とに亘って移動するものとなっている。
【０００４】
【特許文献１】特開２００１−２４８３５５号公報
【発明の開示】
【発明が解決しようとする課題】
【０００５】
特許文献１に記載の扉体開閉装置は、扉を開放するとき開口部の上方に起立した姿勢を維持した状態で移動させる構造になっていることから、開口部の上方に少なくともこの扉の縦幅と同等のスペースを必要とすることになる。このため、天井に近い位置に設置される家具や、上下に複数の棚を段設する場合等には実施することができなかったり、実施がし難いといった不具合があった。
【０００６】
このような問題に鑑み本発明はなされたものであり、その目的とするところは、扉の開放時に、家具等の躯体の内部に扉を取り込むことができ、しかも躯体の内部への扉の取り込み空間を小さくすることのできる扉のヒンジ装置を提供することにある。また、本発明の他の目的は、ロックを解除することによって自動的に扉を開放することのできる扉のヒンジ装置を提供することにある。また、本発明の他の目的は、扉の表側に取っ手等を設けることなく、単に押圧することで扉を開閉させることのできる扉のヒンジ装置の提供にある。
【課題を解決するための手段】
【０００７】
上記目的を達成するため本発明は、家具等の躯体に固定する取付基板と、開閉する扉の背面に固定する取付板と、前記取付基板に植設する第１支軸に回動自由に軸承して、その揺動端を前記取付板に回動自由に軸着し、前記取付基板に対して前記取付板を扉の閉塞位置から開放位置に移動変換自由に支持する第１アームと、前記取付基板に軸着する第２支軸に回動自由に軸承し、揺動端を前記第１アームの揺動端の軸承位置と異なる第２の軸着位置に軸着して前記取付板を前記第１アームと協働して支持すると共に、扉が開放位置に移動変換するとき扉の揺動自由端を迫り出し誘導する第２アームと、を有してなる一方、前記第１アームには前記取付基板との間に常時扉を開放方向に回動付勢するばねを介挿し、また前記取付基板には扉が閉塞位置にあるとき前記第１アーム若しくは第２アームのいずれかに係止して当該閉塞位置に拘束するところの解放操作が可能なロック装置を備えてなることを特徴とした扉のヒンジ装置を提供するものである。
【０００８】
上記本発明の扉のヒンジ装置は、家具等の躯体に固定する取付基板に取り付けられる第１、第２アームに支持される取付板を介して躯体の開口部を閉塞する扉が取り付けられる。
この扉は、閉塞位置にあるときは、第１又は第２アームに係止するロック装置によって閉塞状態に拘束されることになり、ロックを解除すると開放方向に付勢するばねによって、第１アームが回動され、これに伴って取付板に取り付けられた扉が開放方向に回動されることになり、この回動を通して、躯体の内部に取り込まれる。このとき、第１、第２アームの各揺動端が取付板に回動自由に軸着し、且つ取付基板の異なる位置に設けられた支軸にそれぞれ第１、第２アームが回動自由に軸承していることから、第２アームが扉の揺動自由端（扉の下縁にあたる）を一旦迫り出すように前方に押出し、その後、水平姿勢になった扉を躯体内部に引き入れるように誘導することになり、扉を躯体内部に設定する開放位置へと移動させ格納することになる。
【０００９】
また、本発明は、前記取付基板は一面側に第１支軸を、他面側に第２支軸を植設して前記第１アームと前記第２アームを前記取付基板の両面に振分け配置することを特徴とした扉のヒンジ装置を提供することにある。
【００１０】
この発明によれば、第１アームと第２アームを取付基板の両面に振り分け配置することにより、第１アームと第２アームとが回動する時、アーム相互が干渉し合うのを回避し、円滑に回動するのを可能にすると共に、取付基板に対する組付けを容易にする。
【００１１】
また、本発明は、前記第１アームには回動を制御するダンパー装置を係合させ、前記ロック装置の解放時にばねによる開放位置への移動速さを抑制するようにしてなることを特徴とした扉のヒンジ装置を提供することにある。
【００１２】
この発明によれば、第１アームに回動を制御するダンパー装置を係合させることによって、ロック装置の解放時にばねによる開放位置への移動速さを抑制し、急激な扉の開放を抑えて安全な使用を図ると共に、騒音の発生を防止することになる。
【００１３】
また、本発明は、前記第１アームには当該アームと共に前記第１支軸を支点に回動するギヤを備え、該ギヤに前記ダンパー装置の回転軸に軸着するピニオンギヤを噛合させることを特徴とした扉のヒンジ装置を提供することにある。
【００１４】
この発明によれば、第１アームに備えたギヤにダンパー装置のピニオンギヤを噛合させることによって、直接的に第１アームの作動を抑制するものであり、狭い設置空間にダンパー装置を組み込み、装置を小型化することができる。
【００１５】
また、本発明は、前記ばねを巻きばねにして第１支軸に巻装し、その一端を取付基板に、他端を第１アームに掛け止めて、該両者間に縮設することを特徴とした扉のヒンジ装置を提供することにある。
【００１６】
この発明によれば、ばねを巻きばねにすると同時に、第１支軸に巻装して第１アームと取付基板との間に介挿することとしたことから、狭い設置空間にばねを設置することができ、ヒンジ装置全体を小型化することができる。
【００１７】
また、本発明は、第１支軸には弾力調整板を軸承して取付基板と第１アームとの間に介挿し、前記巻きばねの一端を弾力調整板に、他端を第１アームに各掛け止める一方、前記弾力調整板には複数の係止部を設けて取付基板に止め付ける固定軸を該係止部のいずれかに係止し、前記巻きばねの弾力を調整可能にした扉のヒンジ装置を提供することにある。
【００１８】
この発明によれば、巻きばねの弾力を調整する弾力調整板を設けることにより、取り付ける扉の重量に応じて、組み込みの途中において、或いは組み立て後にばねの弾力を調整することができる。
【発明の効果】
【００１９】
したがって、上記説明から、本発明の扉のヒンジ装置によれば、扉の閉塞状態から、ロック装置の解除によりばねの復元力が第１アームに作用し、第１アームを第１支軸を中心に開放方向に回動させ、直上に跳ね上げるようにして扉を開放位置、すなわち家具等の躯体の上方内部へ誘導することになる。このため、天井に近い位置に設けられた家具等、躯体の開口部の上方にスペースがなくとも扉の取り付けが可能となる。また、このとき第２アームは第１アームとは異なる第２支軸を中心に回動しながら扉の揺動自由端を一旦前方に迫り出すようにした後、躯体内部に水平姿勢に変換しながら引き込むように誘導するため、躯体の内部への扉の取り込み空間を小さくすることができ、従って躯体内部に荷物等の収納空間を広くとることが可能になる。
【００２０】
また、ロック装置を解除することに伴わせて自動的に扉を開放することができるので、プッシュ型のラッチをロック装置とすることで扉の表側に取っ手等を設けることなく扉を開閉させることができる。
【００２１】
さらに、第１アームの回動を制御するダンパー装置を設けた場合は、開放時の扉の移動速度を抑えることができるので、急激な扉の開放を抑えて安全に使用することができると共に、衝撃音等の騒音の発生を有効に回避することができる。
【００２２】
また、ばねを巻きばねとした場合は、ヒンジ装置を小さくすることができる。そして、この巻きばねの弾力を調整する弾力調整板を設けることにより、取り付ける扉の重量に応じてばねの弾力を取付時も、また取付けた後においても調整することができる。
【発明を実施するための最良の形態】
【００２３】
以下、本発明に係る扉のヒンジ装置につき実施の形態に基づき詳細に説明する。
【００２４】
図１は本発明に係るヒンジ装置の一部欠截した側面図、図２はヒンジ装置の分解斜視図、図３はヒンジ装置の閉塞時における平面図、図４は扉の閉塞時の側面図、図５はロック解除の初動操作を示す側面図、図６は扉の開放動作を説明する側面図、図７はヒンジ装置の設置状態を説明する斜視図、図８（Ａ）は取付板の分解拡大斜視図、図８（Ｂ）は取付板の組立後の拡大斜視図である。
【００２５】
図１〜図７において、符号１は本発明に係るヒンジ装置、２は取付基板、３は取付板、４は第１アーム、５は第２アームである。
【００２６】
取付基板２は、食器棚のような躯体Ａの側壁内面に固定されるもので、ここでは縦長の略長方形の主取付基板２ａと従取付基板２ｂとからなる。主取付基板２ａと従取付基板２ｂは、後述する部材を収納するための空間６を形成するために、複数本の支柱７・・・によって一定の間隔をあけて並行に連結されている。
主取付基板２ａと従取付基板２ｂの間には支柱７をも兼用する第１支軸８が渡され、これに第１アーム４の一端が軸承される。そして、主取付基板２ａの外側面であって第１支軸８と平行する線上に第２支軸９が軸着されて、第２アーム５の一端が回動自由に軸承される。
このように、第１アーム４と第２アーム５の軸承位置を主取付基板３ａの両面に振分け配置することにより、後述する扉Ｂの回動時に第１アーム４及び第２アーム５が干渉し合うことを防止している。
また、第２アーム５が軸承する第２支軸９を、第１支軸８に対して平行する線上に位置させたことにより後述する扉Ｂの回動時に扉Ｂの揺動端ｂ（下端）を前方に押し出すことができ、これによって扉全体を水平姿勢に変換するのを助けると同時に、開放移動の負荷を最小限にすることができる。
【００２７】
取付板３は、扉Ｂの背面に固定されるもので、第１アーム４の揺動端４ｃに第１ピン１０を介して軸承支持され、第２アーム５の揺動端５ｂに第２ピン１１を介して軸承支持される。
扉Ｂが閉塞された位置、すなわち垂直の位置にあるとき、第１ピン１０は取付板３の上部に、そして間隔をあけて第２ピン１１は下部に設けられている。すなわち、取付板３は、上部を第１アーム４によって、下部を第２アーム５によって間隔をあけて支持されることになる。そして、この閉塞位置では、第１アーム４は略水平状態にあり、第２アーム５は下方に向けて傾斜した状態にある。
【００２８】
前記第１支軸８を中心として巻きばね１２が巻装されている。この巻きばね１２は、一端を後述する弾力調整板１３を介して従取付基板２ｂに、他端を第１アーム４に掛け止めた状態で両者間に縮設されることにより、取付板３を介して第１アーム４に支持される扉Ｂを開放方向へ回動付勢する。
【００２９】
このように、巻きばね１２によって扉Ｂは常に開放方向に付勢され、開放することから、扉Ｂの閉塞状態を保つために従取付基板２ｂにはロック装置１４が取り付けられている。
ロック装置１４は、扉Ｂの閉塞方向への押動作でロック、ロック解除が交互になされるプッシュラッチ構造からなる。そして、ロック状態ではロック装置１４に設けられたフック１４ａと、第２アーム５に設けられた係合部５ａが係合することにより扉Ｂを閉塞状態に保ち、ロックの解除は、フック１４ａと係合部５ａの係合を解除することによって行われる。そして、この係合が解除されると前記巻きばね１２の付勢力によって自動的に扉Ｂが開放位置に移動することになる。
【００３０】
一方、ロック装置１４の解除によって扉Ｂが開放するとき、巻きばね１２の付勢力によって、急激に扉Ｂが回動するのを防止するため、従取付基板２ｂにはダンパー装置１５が取り付けられている。
このダンパー装置１５は、ロータリー式のオイルダンパーからなり、作動油の抵抗を受ける出力軸１５ａに装着されたピニオンギヤ１６を有している。このピニオンギヤ１６は、第１アーム４に一体に成形され第１支軸８を中心とした略円形のプレート部４ａの円弧状部分に形成されたギヤ４ｂに噛合することによって、第１アーム４の回動に対して制動力を与えることになる。
なお、ここでは、第１アーム４とプレート部４ａを一体成形する例について示しているが、これに限られず、第１アーム４とは別体の歯車を成形して組み付けるようにしてもよい。
【００３１】
上述の構成からなるヒンジ装置１は、一対が一組になって図７に示すように躯体Ａの両側壁内面に相対向に取付られ、扉Ｂを回動自由に支持する。
このヒンジ装置１は、図１に示すように、従取付板１ｂに設けられた孔１７を通してネジを揉み込んで、従取付基板１ｂを躯体Ａの内部に固定することによって取り付けられる。このとき、孔１７に対応する位置であって主取付基板１ａに設けられた切欠き部１８ａ及び孔１８ｂに工具を差し入れ、ねじを揉み込む等して取り付けることになる。
【００３２】
一方、取付板３は扉Ｂの背面に取り付けることになるが、この取付板３は、扉Ｂに対する取付けを容易にするため、ここでは図８に示すように主取付板３ａと従取付板３ｂの２枚の板から構成している。
主取付板３ａは、第１アーム４と第２アーム５によって支持されるものとなっているが、縦長の長方形状に形成してあり、扉の閉塞時に上下方向に長さを揃えるようにして取り付けられる。
この主取付板３ａは、上部と下部に大径部１９ａと小径部１９ｂとからなる倒ダルマ形状の孔１９を穿孔し、更に上部の孔１９と下部の孔１９との間に固定ネジ２０をねじ込むためのネジ孔２１を設けている。そして、この主取付板３ａの下端には従取付板３ｂに螺合する調整ネジ２２を当接させるための屈曲させた受部２３が形成してある。
【００３３】
従取付板３ｂは、上記主取付板３ａよりも長い長方形の部材であり、上部と下部に設けた孔２４を通してネジを揉み込むことにより扉Ｂの背面に取り付けられる。
この従取付板３ｂには取付ネジ２５をねじ込むためのネジ孔２６が形成してあり、下端には前記調整ネジ２２をねじ込むためネジ孔２７を有する屈曲部２８が形成してある。
【００３４】
この取付板３を組み付けるとき、まず従取付板３ｂを扉Ｂの背面に添わせ、孔２４を通してネジを揉み込むことにより取り付けておき、取付ネジ２５を従取付板３ｂに設けられたネジ孔２６に仮締め状態にねじ込み、立ち上げた状態に取り付ける。そうした後、この取付ネジ２５の頭部を主取付板３ａの孔１９の大径部１９ａに挿通させ、次に調整ネジ２２をねじ込むことによって、従取付板３ｂを主取付板３ａに対してスライドさせて上下方向の位置の調整を行なう。この後、仮締め状態にしていた取付ネジ２５をねじ込むとともに、固定ネジ２０を主取付板３ａのネジ孔２１にねじ込むことによって、主取付板３ａと従取付板３ｂを固定する。
【００３５】
ところで、前述したように、この実施の形態では、巻きばね１２は、一端が弾力調整板１３を介して従取付基板２ｂに取り付けられているが、この弾力調整板１３は、取り付ける扉Ｂの重さによって巻きばね１２に対する負荷が異なることから、扉Ｂの重さに合わせて巻きばね１３の弾力を調整するために設けらたものである。
弾力調整板１３は、ドーナツ状に形成され、その中心の孔部に第１支軸８を挿通することによって組み込まれ、板の一面には巻きばね１２を掛け止めるための選択される２つの突部１３ａと、工具を掛けるための突部１３ｂが形成され、更に板の円弧状をなす外周縁部には、従取付基板１ｂに植設される固定軸２９に選択的に係止する凹状の係止部１３ｃが形成されている。
巻きばね１２の掛け止めは、巻きばね１２の一端を開放位置に跳ね上がった第１アーム４の突起に掛け止める一方、他端を前記弾力調整版１３の１つの突部１３ａに掛け止めることによって行われ、この状態から扉Ｂを閉塞方向へ回動し、絞り込むことによって巻きばね１２に付勢する力が生じることになる。このとき、固定軸２９を一端抜き取り、工具によって弾力調整板１３を回転させて係止する係止部１３ｃを他の係止部１３ｃに変更することによって巻きばね１２の付勢力を調整することができる。
なお、本実施の形態においては、突部１３ａは２つとし、係止部１３ｃを４つとしたが、これに限られず多数設けてもよい。勿論ばねの調整方向はこれに限られないので、弾力調整板１３を設けずに直接従取付板１ｂに巻きばね１２を取り付けてもよいことは言うまでもない。
【００３６】
次に、扉Ｂの開閉動作を説明する。
図４は、扉Ｂが躯体Ａの開口部を完全に閉じた閉塞位置、つまり閉塞状態を示している。この閉塞位置では、扉Ｂがロック装置１４のフック１４ａと第２アーム５の係合部５ａが係合することによって、巻きばね１２の付勢力に抗して閉塞状態を保っている。
この扉Ｂを開放するには、図５に示すように、扉Ｂの揺動自由端ｂ（少なくとも第１支軸５よりも下方）を矢印方向に押圧する。この押圧により係合部５ａがロック装置１４に押し付けられることによってロック装置１４内部の係止機構が解除され、フック１４ａと係合部５ａとが離れることになる。
こうしてロックが解除されると、図６に示すように、巻きばね１２の付勢力を受けて第１アーム４が第１支軸８を中心として図のＸ方向へ跳ね上げ回動されることにより扉Ｂが躯体Ａの内部上方空間の開放位置に移動する。
このとき、第２アーム５は、第１支軸８とは異なる位置に設けられた第２支軸を軸心として回動することから、扉Ｂの下縁を一旦迫り出すように前方に押出し、水平姿勢に傾けながら、扉Ｂを躯体Ａの内部に引き入れるように誘導する。このことから、上部における取付板３の回転角を小さくすることができ、小さな取り込み空間で扉Ｂを躯体Ａの内部上方にほぼ水平に格納することになる。
また、第１アーム４が回動するとき、ギヤ４ｂがダンパー装置１１のピニオンギヤ１６と係合しながら回動するため、ダンパー装置１５の制動力が第１アーム４に伝わり、第１アーム４が急激に回動しないようになる。
【００３７】
なお、扉Ｂを再び閉塞位置に戻す場合は、扉Ｂの躯体Ａから突出した部分、すなわち扉Ｂの下縁部を巻きばね１２の付勢に抗して図の下方に向かってへ押し下げることによって第１アーム４と第２アーム５を回動させる。そして、図５に示す状態まで扉Ｂを押し込むことによって、扉Ｂの閉塞と同時にロック装置１４のフック１４ａと第２アーム５の係合部５ａが係合して、扉Ｂを閉塞位置に固定させることになる。
【００３８】
上述したように、本発明のヒンジ装置１によれば、扉Ｂの閉塞状態から、ロック装置１４のロック解除により巻きばね１２の復元力が第１アーム４に作用し、第１アーム４を第１支軸８を中心に開放方向に回動させることになるので、扉Ｂを開放位置、すなわち躯体Ａの内部へ跳ね上げるように誘導することになる。このため、天井に近い位置に設けられた家具等、躯体Ａの開口部よりも上方にスペースがなくとも取り付けが可能となる。また、このとき第２アーム５は第１アーム４とは異なる第２支軸９を中心に回動しながら扉Ｂの下縁を一旦迫り出し、これによって水平姿勢に倒した状態で、躯体Ａの内部に引き込むように誘導するため、躯体Ａの内部への扉Ｂの取り込み空間を小さくすることができ、躯体Ａの内部に収納する荷物等の収納空間を広くとることができる。
また、プッシュラッチ構造のロック装置１４を用い、このロック解除によって自動的に扉Ｂを開放することができるので、扉Ｂの表側を取っ手等を設けずフラットに形成しても扉Ｂを押すだけで簡単に開閉させることができる。
さらに、第１アーム４の回動を制御するダンパー装置１５を設けたことによって、開放時の扉Ｂの移動速度が抑制され、急激な扉Ｂの開放が抑えられることから手を打ったりする危険がなく安全に取り扱えることになる。
また、第１アーム４のギヤ４ｂとダンパー装置１５のピニオンギヤ１６を係合させることにより直接第１アーム４を制御したこと、及び巻きばね１２を用いたことにより、ヒンジ装置１内の空間６内にコンパクトに収納することができ、ヒンジ装置１自体を小さくすることができる。
さらに、巻きばね１２の弾力を調整する弾力調整板１３を設けることにより、取り付ける扉Ｂの重量に応じて巻きばね１２の弾力を調整することができるので、常に安定した、しかも適正な開閉操作が期待できる。
【図面の簡単な説明】
【００３９】
【図１】本発明に係るヒンジ装置の一部欠截した側面図である。
【図２】ヒンジ装置の分解斜視図である。
【図３】ヒンジ装置の閉塞時における平面図である。
【図４】扉の閉塞時の側面図である。
【図５】ロック解除の初動操作を示す側面図である。
【図６】扉の開放動作を説明する側面図である。
【図７】ヒンジ装置の設置状態を説明する斜視図である。
【図８】（Ａ）は取付板の分解拡大斜視図、（Ｂ）は取付板の組立後の拡大斜視図である。
【符号の説明】
【００４０】
１              ヒンジ装置
２              取付基板
２ａ            主取付基板
２ｂ            従取付基板
３              取付板
３ａ            主取付板
３ｂ            従取付板
４              第１アーム
４ａ            プレート部
４ｂ            ギヤ
４ｃ            揺動端
５              第２アーム
５ａ            係合部
５ｂ            揺動端
６              空間
７              支柱
８              第１支軸
９              第２支軸
１０            第１ピン
１１            第２ピン
１２            巻きばね
１３            弾力調整板
１３ａ、１３ｂ  突部
１３ｃ          係止部
１４            ロック装置
１４ａ          フック
１５            ダンパー装置
１５ａ          出力軸
１６            ピニオンギヤ
１７            孔
１８ａ          切欠き部
１８ｂ          孔
１９            孔
１９ａ          大径部
１９ｂ          小径部
２０            固定ネジ
２１            ネジ孔
２２            調整ネジ
２３            受部
２４            孔
２５            取付ネジ
２６            ネジ孔
２７            ネジ孔
２８            屈曲部
２９            固定軸
Ａ              躯体
Ｂ              扉
ｂ              揺動自由端
【図１】
2009127346.tif 000003
【図２】
2009127346.tif 000004
【図３】
2009127346.tif 000005
【図４】
2009127346.tif 000006
【図５】
2009127346.tif 000007
【図６】
2009127346.tif 000008
【図７】
2009127346.tif 000009
【図８】
2009127346.tif 000010